(57)【要約】【課題】  光ディスクのコンテンツをリピート再生する毎にポーズ動作に移行して、ユーザが予め選択した静止画像を表示し、ユーザが予め設定したポーズ時間が経過したとき、リピートの開始点からコンテンツをリピート再生することができるとともに、ユーザがポーズ動作を即時解除することができ、リピート時間が所定時間経過したとき、電源をオートパワーオフするか否かをユーザが選択することができるようにする。【解決手段】  指定されたリピートの開始点より光ディスクのコンテンツを再生し、指定されたリピートの終了点が検出されたとき、ポーズ動作に移行して、選択された静止画像を表示し、設定されたポーズ時間が経過したとき、或いは、ポーズ動作が解除されたとき、指定されたリピートの開始点からコンテンツを再生し、オートパワーオフがＯＮに設定されている場合、リピート時間が所定時間経過したとき、電源をオートパワーオフするようにする。【選択図】        図４
2005071551.tif 000002
【特許請求の範囲】
【請求項１】
光ディスクのコンテンツをリピート再生することができるディスク再生装置であって、
光ディスクのコンテンツをリピート再生する複数のリピートの１つを指定するリピート指定手段と、前記リピート指定手段により指定されたリピートの開始点より光ディスクのコンテンツを再生するリピート再生手段と、前記リピート指定手段により指定されたリピートの終了点を検出するリピート終了点検出手段と、前記リピート終了点検出手段によりリピートの終了点が検出されたとき、ポーズ動作に移行するポーズ手段と、静止画像を選択する画像選択手段と、光ディスクが映像ディスクである場合、ポーズ動作中に、前記画像選択手段により選択された静止画像を表示する画像表示手段と、ポーズ時間を設定するポーズ時間設定手段と、前記ポーズ時間設定手段により設定されたポーズ時間が経過したとき、ポーズ動作を解除して、前記リピート指定手段により指定されたリピートの開始点からコンテンツを再生するリピート制御手段と、ポーズ動作中に、ポーズ動作を即時解除して、前記リピート指定手段により指定されたリピートの開始点からコンテンツを再生するポーズ解除手段と、ディスク再生装置の電源のオートパワーオフのＯＮ／ＯＦＦを設定するオートパワーオフ設定手段と、前記オートパワーオフ設定手段によりオートパワーオフがＯＮに設定されている場合、リピート時間が所定時間経過したとき、ディスク再生装置の電源をオートパワーオフする電源制御手段とを備えたことを特徴とするディスク再生装置。
【請求項２】
光ディスクのコンテンツをリピート再生することができるディスク再生装置であって、
光ディスクのコンテンツをリピート再生する複数のリピートの１つを指定するリピート指定手段と、前記リピート指定手段により指定されたリピートの開始点より光ディスクのコンテンツを再生するリピート再生手段と、前記リピート指定手段により指定されたリピートの終了点を検出するリピート終了点検出手段と、前記リピート終了点検出手段によりリピートの終了点が検出されたとき、ポーズ動作に移行するポーズ手段と、ポーズ時間を設定するポーズ時間設定手段と、前記ポーズ時間設定手段により設定されたポーズ時間が経過したとき、ポーズ動作を解除して、前記リピート指定手段により指定されたリピートの開始点からコンテンツを再生するリピート制御手段とを備えたことを特徴とするディスク再生装置。
【請求項３】
ポーズ動作中に、ポーズ動作を即時解除して、前記リピート指定手段により指定されたリピートの開始点からコンテンツを再生するポーズ解除手段を備えたことを特徴とする請求項２記載のディスク再生装置。
【請求項４】
静止画像を選択する画像選択手段と、光ディスクが映像ディスクである場合、ポーズ動作中に、前記画像選択手段により選択された静止画像を表示する画像表示手段とを備えたことを特徴とする請求項２記載のディスク再生装置。
【請求項５】
ディスク再生装置の電源のオートパワーオフのＯＮ／ＯＦＦを設定するオートパワーオフ設定手段と、前記オートパワーオフ設定手段によりオートパワーオフがＯＮに設定されている場合、リピート時間が所定時間経過したとき、ディスク再生装置の電源をオートパワーオフする電源制御手段とを備えたことを特徴とする請求項２記載のディスク再生装置。
【請求項６】
光ディスクのコンテンツをリピート再生することができるディスク再生装置の制御方法であって、
光ディスクのコンテンツをリピート再生する複数のリピートの１つが指定されたか否かを判断して、複数のリピートの１つが指定された場合、指定されたリピートの開始点から光ディスクのコンテンツを再生するステップと、リピート再生中に、リピートの中止が指令されたか否かを判断して、リピートの中止が指令された場合、リピートを中止するステップと、指定されたリピートの終了点が検出されたか否かを判断して、指定されたリピートの終了点が検出された場合、リピート機能がＯＮになっているか否かを判断して、リピート機能がＯＮになっている場合、ポーズ動作に移行するステップと、ポーズ動作中に、リピートの中止が指令されたか否かを判断して、リピートの中止が指令された場合、リピートを中止するステップと、ポーズ動作中に、ポーズ動作の解除が指令されたか否かを判断して、ポーズ動作の解除が指令された場合、ポーズ動作を即時解除して、リピートの開始点から光ディスクのコンテンツを再生するステップと、予め設定されたポーズ時間が経過したか否かを判断して、予め設定されたポーズ時間が経過した場合、ポーズ動作を解除して、リピートの開始点から光ディスクのコンテンツを再生するステップとを備えたことを特徴とするディスク再生装置の制御方法。
【請求項７】
更に、光ディスクが映像ディスクであるか否かを判断して、光ディスクが映像ディスクである場合、ポーズ動作中に、予め選択された静止画像を表示するステップを備えたことを特徴とする請求項６記載のディスク再生装置の制御方法。
【請求項８】
更に、ディスク再生装置の電源をオートパワーオフするオートパワーオフがＯＮに設定されているか否かを判断して、オートパワーオフがＯＮに設定されている場合、リピート時間が所定時間経過したか否かを判断して、リピート時間が所定時間経過した場合、ディスク再生装置の電源をオートパワーオフするステップを備えたことを特徴とする請求項６又は請求項７のいずれかに記載のディスク再生装置の制御方法。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）等の光ディスクのコンテンツを再生するディスク再生装置に係り、特に光ディスクのコンテンツをリピート再生することができるディスク再生装置に関する。
【背景技術】
【０００２】
ＤＶＤ、ＣＤ等の光ディスクのコンテンツの再生時に、ユーザがリピートする区間を指定して、指定された区間のコンテンツをリピート再生することができるようになっている。しかし、ユーザがポーズ時間を設定し、所望のリピートを指定して、光ディスクのコンテンツをリピート再生し、リピート再生する毎にポーズ動作に移行して、設定されたポーズ時間が経過したとき、ポーズ動作を解除して、光ディスクのコンテンツをリピート再生することができないという問題点があった。また、リピート再生時間が所定時間経過したとき、ディスク再生装置の電源をオートパワーオフさせるか否かを選択することができないという問題点があった。
【０００３】
背景技術としては、ＴＯＣ（Ｔａｂｌｅ  ｏｆ  Ｃｏｎｔｅｎｔｓ）内のトラック数を所定数と大小比較し、いずれかのトラックの各インデックスをカウントしてインデックス数を他の所定数と大小比較し、２つの大小比較の結果、それぞれが所定数を越える場合にはトラック毎に、且つインデックス毎にオートポーズし、リピート信号を受けると、１つ前のインデックスにピックアップを戻して再生するようにしたものがあった（例えば、特許文献１参照）。
【０００４】
また、ＣＤから再生した曲の先頭を検出して、再生した曲の再生トラックの最初のＩピクチャが完成するまで再生してからポーズ動作に移行し、ポーズ動作中の順方向スキップ／逆方向スキップ動作時に、黒画面でなく、トラック番号にあった静止画を表示するようにしたものがあった（例えば、特許文献２参照）。
【０００５】
また、繰り返し再生の開始位置が指定された時には、出力の行われているデコーダ部とは別のデコーダ部にて再生開始位置における情報をデコードさせ、繰り返し再生の開始が指示された時には、デコーダ部の出力を別のデコーダ部からの出力に切り換えて、動画を連続的にリピート再生するようにしたものがあった（例えば、特許文献３参照）。
【０００６】
また、設定されたリピート再生期間内において、記録媒体に記録された複数アングルの中から所定のアングルを選択しつつリピート再生し、リピート再生期間内において、再生を反復する毎に所定のアングルを自動的に切り換えるようにしたものがあった（例えば、特許文献４参照）。
【特許文献１】特開平５−１２０８５０号公報
【特許文献２】特開平９−２１２９９１号公報
【特許文献３】特開２００１−２０３９７７号公報
【特許文献４】特開２００１−２３１０１３号公報
【発明の開示】
【発明が解決しようとする課題】
【０００７】
しかしながら、背景技術で述べたもののうち最初のものにおいては、ＴＯＣ内のトラック数を所定数と大小比較し、何れかのトラックの各インデックスをカウントしてインデックス数を他の所定数と大小比較し、２つの大小比較の結果、それぞれが所定数を越える場合にはトラック毎に、且つインデックス毎にオートポーズし、リピート信号を受けて１つ前のインデックスにピックアップを戻して再生することができたが、オートポーズ後に、ユーザがキー操作をしなければ、リピート再生することができないという問題点があった。
【０００８】
また、次のものにおいては、ＣＤから再生した曲の先頭を検出して、再生した曲の再生トラックの最初のＩピクチャが完成するまで再生してからポーズ動作に移行し、ポーズ動作中の順方向スキップ／逆方向スキップ動作時に、黒画面でなく、トラック番号にあった静止画を表示することができたが、所望の静止画像を選択して、ポーズ動作中に、選択された静止画像を表示することができないという問題点があった。
【０００９】
また、更にその次のものにおいては、繰り返し再生の開始位置が指定された時には、出力の行われているデコーダ部とは別のデコーダ部にて再生開始位置における情報をデコードさせ、繰り返し再生の開始が指示された時には、デコーダ部の出力を別のデコーダ部からの出力に切り換えて、動画を連続的にリピート再生することができたが、リピート再生する毎にポーズ動作に移行して、予め設定されたポーズ時間が経過したとき、リピート再生することができないという問題点があった。
【００１０】
また、更にその次のものにおいては、設定されたリピート再生期間内において、記録媒体に記録された複数アングルの中から所定のアングルを選択しつつリピート再生し、リピート再生期間内において、再生を反復する毎に所定のアングルを自動的に切り換えることができたが、上記同様、リピート再生する毎にポーズ動作に移行して、予め設定されたポーズ時間が経過したとき、リピート再生することができないという問題点があった。
【００１１】
本発明は、背景技術の有するこのような問題点に鑑みてなされたものであり、その目的とするところは、光ディスクのコンテンツをリピート再生する毎にポーズ動作に移行して、ユーザが予め選択した静止画像を表示し、ユーザが予め設定したポーズ時間が経過したとき、指定されたリピートの開始点からコンテンツをリピート再生することができるとともに、ユーザがポーズ動作を即時解除して、指定されたリピートの開始点からコンテンツをリピート再生することができ、リピート時間が所定時間経過したとき、ディスク再生装置の電源をオートパワーオフするか否かをユーザが選択することができるディスク再生装置を提供しようとするものである。
【課題を解決するための手段】
【００１２】
上記目的を達成するため本発明においては、光ディスクのコンテンツをリピート再生することができるディスク再生装置であって、光ディスクのコンテンツをリピート再生する複数のリピートの１つを指定するリピート指定手段と、前記リピート指定手段により指定されたリピートの開始点より光ディスクのコンテンツを再生するリピート再生手段と、前記リピート指定手段により指定されたリピートの終了点を検出するリピート終了点検出手段と、前記リピート終了点検出手段によりリピートの終了点が検出されたとき、ポーズ動作に移行するポーズ手段と、ポーズ時間を設定するポーズ時間設定手段と、前記ポーズ時間設定手段により設定されたポーズ時間が経過したとき、ポーズ動作を解除して、前記リピート指定手段により指定されたリピートの開始点からコンテンツを再生するリピート制御手段とを備える。
【００１３】
また、ポーズ動作中に、ポーズ動作を即時解除して、前記リピート指定手段により指定されたリピートの開始点からコンテンツを再生するポーズ解除手段を備える。
【００１４】
また、静止画像を選択する画像選択手段と、光ディスクが映像ディスクである場合、ポーズ動作中に、前記画像選択手段により選択された静止画像を表示する画像表示手段とを備える。
【００１５】
また、ディスク再生装置の電源のオートパワーオフのＯＮ／ＯＦＦを設定するオートパワーオフ設定手段と、前記オートパワーオフ設定手段によりオートパワーオフがＯＮに設定されている場合、リピート時間が所定時間経過したとき、ディスク再生装置の電源をオートパワーオフする電源制御手段とを備える。
【００１６】
これらの手段により、光ディスクのコンテンツをリピート再生する毎にポーズ動作に移行して、ユーザが予め選択した静止画像を表示し、ユーザが予め設定したポーズ時間が経過したとき、指定されたリピートの開始点からコンテンツをリピート再生することができるとともに、ユーザがポーズ動作を即時解除して、指定されたリピートの開始点からコンテンツをリピート再生することができ、リピート時間が所定時間経過したとき、ディスク再生装置の電源をオートパワーオフするか否かをユーザが選択することができる。
【発明の効果】
【００１７】
請求項１記載の発明に係るディスク再生装置によれば、光ディスクのコンテンツをリピート再生する複数のリピートの１つを指定して、指定されたリピートの開始点より光ディスクのコンテンツを再生し、指定されたリピートの終了点が検出されたとき、ポーズ動作に移行し、光ディスクが映像ディスクである場合、ポーズ動作中に、選択された静止画像を表示し、設定されたポーズ時間が経過したとき、ポーズ動作を解除して、指定されたリピートの開始点からコンテンツを再生し、ポーズ動作中に、ポーズ動作を即時解除して、指定されたリピートの開始点からコンテンツを再生し、オートパワーオフがＯＮに設定されている場合、リピート時間が所定時間経過したとき、ディスク再生装置の電源をオートパワーオフするようにしているので、光ディスクのコンテンツをリピート再生する毎にポーズ動作に移行して、ユーザが予め選択した静止画像を表示し、ユーザが予め設定したポーズ時間が経過したとき、指定されたリピートの開始点からコンテンツをリピート再生することができるとともに、ユーザがポーズ動作を即時解除して、指定されたリピートの開始点からコンテンツをリピート再生することができ、リピート時間が所定時間経過したとき、ディスク再生装置の電源をオートパワーオフするか否かをユーザが選択することができる。
【００１８】
請求項２記載の発明に係るディスク再生装置によれば、光ディスクのコンテンツをリピート再生する複数のリピートの１つを指定して、指定されたリピートの開始点より光ディスクのコンテンツを再生し、指定されたリピートの終了点が検出されたとき、ポーズ動作に移行し、設定されたポーズ時間が経過したとき、ポーズ動作を解除して、指定されたリピートの開始点からコンテンツを再生するようにしているので、光ディスクのコンテンツをリピート再生する毎にポーズ動作に移行して、ユーザが予め選択した静止画像を表示し、ユーザが予め設定したポーズ時間が経過したとき、指定されたリピートの開始点からコンテンツをリピート再生することができる。
【００１９】
請求項３記載の発明に係るディスク再生装置によれば、ポーズ動作中に、ポーズ動作を即時解除して、指定されたリピートの開始点からコンテンツを再生するようにしているので、ユーザがポーズ動作を即時解除して、指定されたリピートの開始点からコンテンツをリピート再生することができる。
【００２０】
請求項４記載の発明に係るディスク再生装置によれば、静止画像を選択して、光ディスクが映像ディスクである場合、ポーズ動作中に、選択された静止画像を表示するようにしているので、ユーザが所望の静止画像を選択して、ポーズ動作中に、ユーザが選択した静止画像を表示することができる。
【００２１】
請求項５記載の発明に係るディスク再生装置によれば、ディスク再生装置の電源のオートパワーオフのＯＮ／ＯＦＦを設定して、オートパワーオフがＯＮに設定されている場合、リピート時間が所定時間経過したとき、ディスク再生装置の電源をオートパワーオフするようにしているので、リピート時間が所定時間経過したとき、ディスク再生装置の電源をオートパワーオフするか否かをユーザが選択することができる。
【００２２】
請求項６記載の発明に係るディスク再生装置によれば、光ディスクのコンテンツをリピート再生する複数のリピートの１つが指定されたか否かを判断して、複数のリピートの１つが指定された場合、指定されたリピートの開始点から光ディスクのコンテンツを再生し、リピート再生中に、リピートの中止が指令されたか否かを判断して、リピートの中止が指令された場合、リピートを中止し、指定されたリピートの終了点が検出されたか否かを判断して、指定されたリピートの終了点が検出された場合、リピート機能がＯＮになっているか否かを判断して、リピート機能がＯＮになっている場合、ポーズ動作に移行し、ポーズ動作中に、リピートの中止が指令されたか否かを判断して、リピートの中止が指令された場合、リピートを中止し、ポーズ動作中に、ポーズ動作の解除が指令されたか否かを判断して、ポーズ動作の解除が指令された場合、ポーズ動作を即時解除して、リピートの開始点から光ディスクのコンテンツを再生し、予め設定されたポーズ時間が経過したか否かを判断して、予め設定されたポーズ時間が経過した場合、ポーズ動作を解除して、リピートの開始点から光ディスクのコンテンツを再生するようにしているので、光ディスクのコンテンツをリピート再生する毎にポーズ動作に移行して、ユーザが予め選択した静止画像を表示し、ユーザが予め設定したポーズ時間が経過したとき、指定されたリピートの開始点からコンテンツをリピート再生することができるとともに、ユーザがポーズ動作を即時解除して、指定されたリピートの開始点からコンテンツをリピート再生することができる。
【００２３】
請求項７記載の発明に係るディスク再生装置によれば、光ディスクが映像ディスクであるか否かを判断して、光ディスクが映像ディスクである場合、ポーズ動作中に、予め選択された静止画像を表示するようにしているので、ユーザが所望の静止画像を選択して、ポーズ動作中に、ユーザが選択した静止画像を表示することができる。
【００２４】
請求項８記載の発明に係るディスク再生装置によれば、ディスク再生装置の電源をオートパワーオフするオートパワーオフがＯＮに設定されているか否かを判断して、オートパワーオフがＯＮに設定されている場合、リピート時間が所定時間経過したか否かを判断して、リピート時間が所定時間経過した場合、ディスク再生装置の電源をオートパワーオフするようにしているので、リピート時間が所定時間経過したとき、ディスク再生装置の電源をオートパワーオフするか否かをユーザが選択することができる。
【発明を実施するための最良の形態】
【００２５】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置のリピート機能設定画面の表示例を示す説明図であり、図４は本発明の一実施例のディスク再生装置の動作を示すフローチャートである。
【００２６】
まず、図１の本発明の一実施例のディスク再生装置の構成を示すブロック図を基に説明する。
【００２７】
ディスク再生装置１は、光ディスク２のコンテンツの映像音声信号を光学的に読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された映像音声信号を基準クロックに基づいて同期検出し、アナログ信号の映像音声信号をデジタル信号に変換する同期検出／ＡＤ変換回路６と、デジタル信号に変換された映像音声信号を復調し、復調された映像音声信号の誤りを訂正する復調／誤り訂正回路７と、所定の圧縮方式に基づいて圧縮された映像音声信号を伸張して、元の映像音声信号に復号するデコーダ８と、復号された映像音声信号を所定の信号方式に従った映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換するエンコーダ／ＤＡ変換回路９と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１０と、時間を計測し、ディスク再生装置１のシステム全体を制御するマイコン１１と、各種設定データ等を記憶する不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ‐Ｏｎｌｙ  Ｍｅｍｏｒｙ）１２と、リモコン装置２０から送信された赤外線信号のリモコン信号を受信して、所定の電気信号に変換するリモコン受信部１３と、ディスク再生装置１の電源のＯＮ／ＯＦＦを制御する電源制御部１４とで構成されている。
【００２８】
また、図２の本発明の一実施例のディスク再生装置のリモコン装置を示す説明図を基に説明する。
【００２９】
リモコン装置２０には、メニュ画面の表示を指令するメニュキー２０ａ、メニュ画面に表示された項目を選択するカーソルキー２０ｂ、カーソルキー２０ｂにより選択された項目の設定を決定する決定キー２０ｃ、光ディスクのコンテンツをリピート再生する複数のリピートの１つをリピートを指定するリピートキー２０ｄ、Ａ点とＢ点とを指定してＡ−Ｂ間をリピート再生するＡ−Ｂリピートキー２０ｅ、再生の停止を指令する停止キー２０ｆ、次のチャプタ又は次のトラックへのスキップを指令する前スキップキー２０ｇ等の複数の操作キーが設けられていて、それらの操作キーを操作することにより、ディスク再生装置１を所望動作させることができるようになっている。なお、リピートキー２０ｄは、操作される毎に、光ディスクの全コンテンツをリピート再生するオールリピート、選択されたチャプタをリピート再生するチャプタリピート、選択されたトラックをリピート再生するトラックリピート、選択されたグループをリピート再生するグループリピート、通常の再生をするリピートオフの順に循環して、複数のリピートの１つを指定することができるようになっている。
【００３０】
以上のように構成されたディスク再生装置について、以下その動作について説明する。
【００３１】
リモコン装置２０の操作キーが操作されると、操作された操作キーのリモコン信号がリモコン装置２０から赤外線信号のリモコン信号として送信され、リモコン受信部１３により受信され、所定の電気信号に変換されてマイコン１１に送出される。マイコン１１は、メニュ画面の表示を指令するリモコン装置２０のメニュキー２０ａのリモコン信号を受信すると、文字情報信号と制御信号とをＯＳＤ回路１０に送出して、モニタ装置３０の画面にメニュ画面を表示する（図示せず）。リモコン装置２０のカーソルキー２０ｂと決定キー２０ｃとの操作によりメニュ画面に表示されたリピート設定が選択されると、マイコン１１は、文字情報信号と制御信号とをＯＳＤ回路１０に送出して、リピート設定画面をモニタ装置３０の画面３０ａに表示する（図３参照）。ユーザは、リモコン装置のカーソルキー２０ｂと決定キー２０ｃとを操作して、モニタ装置３０の画面３０ａに表示されたリピート機能のＯＮ／ＯＦＦ、ポーズのＯＮ／ＯＦＦ、ポーズ時間、オートパワーオフのＯＮ／ＯＦＦ、ポーズ動作中にモニタ装置３０の画面に表示する画像選択をそれぞれ設定する（図３参照）。なお、画像は、黒画面、ブルーバック画面、オープニング画面、ユーザ設定画面等を選択することができるようになっている。
【００３２】
リモコン装置２０のリピートキー２０ｄが操作されると、マイコン１１は、光ディスク２のコンテンツをリピート再生する複数のリピートの１つが指定されたか否かを判断して、複数のリピートの１つが指定された場合、サーボ回路５に制御信号を送出して、指定されたリピートの開始点に光ピックアップ２を移動させ、光ディスク２のコンテンツを再生する。また、リモコン装置２０のＡ−Ｂリピートキー２０ｅの操作によりＡ−Ｂリピートが指令された場合、マイコン１１は、リモコン装置２０のリピートキー２０ｄの操作により指定されたリピートをＡ−Ｂリピートに変更して、Ａ−Ｂリピートの開始点から光ディスク２のコンテンツを再生する。
【００３３】
リピート再生中に、リモコン装置２０の停止キー２０ｆの操作によりリピートの中止が指令されると、マイコン１１は、サーボ回路５に制御信号を送出して、リピートを中止する。
【００３４】
指定されたリピートの終了点が検出されると、マイコン１１は、リピート機能がＯＮになっているか否かを判断して、リピート機能がＯＮになっている場合、サーボ回路５に制御信号を送出して、光ディスク２のコンテンツの再生を停止し、ポーズ動作に移行する。そして、ディスク再生装置１に装着された光ディスク２が映像ディスクである場合、マイコン１１は、ユーザが選択した静止画像をモニタ装置３０の画面に表示する（図示せず）。
【００３５】
ポーズ動作中に、リモコン装置２０の停止キー２０ｆの操作によりリピートの中止が指令されると、マイコン１１は、ＯＳＤ回路１０に制御信号を送出して、モニタ装置３０の画面に表示された静止画像の表示を停止して、リピートを中止する。また、ポーズ動作中に、リモコン装置２０の停止キー２０ｆ以外の前スキップキー２０ｇ等のディスク再生装置の動作を指令するいずれかの操作キーが操作されると、マイコン１１は、ポーズ動作を即時解除し、サーボ回路５に制御信号を送出して、リピートの開始点から光ディスク２のコンテンツを再生する。また、予め設定されたポーズ時間が経過した場合、マイコン１１は、ポーズ動作を解除し、サーボ回路５に制御信号を送出して、リピートの開始点から光ディスク２のコンテンツを再生する。
【００３６】
ディスク再生装置１の電源をオートパワーオフするオートパワーオフがＯＮに設定されている場合、マイコン１１は、リピート時間が所定時間経過したか否かを判断して、リピート時間が所定時間経過した場合、例えば、リピート時間が３５分経過した場合、電源制御部１４に制御信号を送出して、ディスク再生装置１の電源をオートパワーオフする。
【００３７】
また、図４の本発明の一実施例のディスク再生装置の動作を示すフローチャートを基に説明する。
【００３８】
リモコン装置のリピートキーが操作されると、ステップＳ１からステップＳ２に進み、ステップＳ２で、光ディスクのコンテンツをリピート再生する複数のリピートの１つが指定されたか否かが判断され、複数のリピートの１つが指定された場合、ステップＳ３に進み、リピートが指定されていない場合、即ちリピートＯＦＦが指定されている場合、ステップＳ１９に進んで処理を終了する。
【００３９】
ステップＳ３で、リモコン装置のＡ−Ｂリピートキーの操作によりＡ−Ｂリピートが指令されたか否かが判断され、Ａ−Ｂリピートが指令された場合、ステップＳ４に進み、Ａ−Ｂリピートが指令されていない場合、ステップＳ５に進む。
【００４０】
ステップＳ４で、リモコン装置のリピートキーの操作により指定されたリピートがＡ−Ｂリピートに変更され、ステップＳ５に進む。
【００４１】
ステップＳ５で、指定されたリピートの開始点から光ディスクのコンテンツが再生され、ステップＳ６に進む。
【００４２】
ステップＳ６で、リモコン装置の停止キーの操作によりリピートの中止が指令されたか否かが判断され、リピートの中止が指令された場合、ステップＳ１９に進んでリピートを中止して処理を終了し、リピートの中止が指令されていない場合、ステップＳ７に進む。
【００４３】
ステップＳ７で、指定されたリピートの終了点が検出されたか否かが判断され、指定されたリピートの終了点が検出された場合、ステップＳ８に進み、指定されたリピートの終了点が検出されていない場合、ステップＳ６に戻って、ステップＳ６からのステップを繰り返す。
【００４４】
ステップＳ８で、リピート機能がＯＮになっているか否かが判断され、リピート機能がＯＮになっている場合、ステップＳ９に進み、リピート機能がＯＮになっていない場合、ステップＳ５に戻って、ステップＳ５からのステップを繰り返す。
【００４５】
ステップＳ９で、光ディスクのコンテンツの再生が停止され、ポーズ動作に移行して、ステップＳ１０に進む。
【００４６】
ステップＳ１０で、光ディスクが映像ディスクであるか否かが判断され、光ディスクが映像ディスクである場合、ステップＳ１１に進み、光ディスクが映像ディスクでない場合、ステップＳ１２に進む。
【００４７】
ステップＳ１１で、予め選択された静止画像がモニタ装置の画面に表示され、ステップＳ１２に進む。
【００４８】
ステップＳ１２で、リモコン装置の停止キーの操作によりリピートの中止が指令されたか否かが判断され、リピートの中止が指令された場合、ステップＳ１９に進んでリピートを中止して処理を終了し、リピートの中止が指令されていない場合、ステップＳ１３に進む。
【００４９】
ステップＳ１３で、リモコン装置の停止キー以外の前スキップキー等のディスク再生装置の動作を指令するいずれかの操作キーが操作され、ポーズ動作の解除が指令されたか否かが判断され、リモコン装置の停止キー以外の前スキップキー等のディスク再生装置の動作を指令するいずれかの操作キーが操作され、ポーズ動作の解除が指令された場合、ステップＳ１５に進み、いずれの操作キーも操作されていない場合、ステップＳ１４に進む。
【００５０】
ステップＳ１４で、予め設定されたポーズ時間経過したか否かが判断され、予め設定されたポーズ時間経過した場合、ステップＳ１５に進み、予め設定されたポーズ時間経過していない場合、ステップＳ１２に戻って、ステップＳ１２からのステップを繰り返す。
【００５１】
ステップＳ１５で、ポーズ動作が即時解除され、ステップＳ１６に進む。
【００５２】
ステップＳ１６で、ディスク再生装置の電源をＯＦＦにするオートパワーオフがＯＮに設定されているか否かが判断され、オートパワーオフがＯＮに設定されている場合、ステップＳ１７に進み、オートパワーオフがＯＮに設定されていない場合、即ちオートパワーオフがＯＦＦに設定されている場合、ステップＳ５に戻って、ステップＳ５からのステップを繰り返す。
【００５３】
ステップＳ１７で、リピート時間が所定時間経過したか否かが判断され、リピート時間が所定時間経過した場合、ステップＳ１８に進み、リピート時間が所定時間経過していない場合、ステップＳ５に戻って、ステップＳ５からのステップを繰り返す。
【００５４】
ステップＳ１８で、ディスク再生装置の電源がオートパワーオフされて、ステップＳ１９に進んで処理を終了する。
【００５５】
以上、本発明を実施するための最良の形態について詳述したが、本発明はこれに限らず、当業者の通常の知識の範囲内でその変形や改良が可能である。例えば、リモコン装置に設けられた操作キーをディスク再生装置の操作パネルに設けるようにしてもよい。
【図面の簡単な説明】
【００５６】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置のリピート機能設定画面の表示例を示す説明図である。
【図４】本発明の一実施例のディスク再生装置の動作を示すフローチャートである。
【符号の説明】
【００５７】
１  ディスク再生装置
２  光ディスク
３  光ピックアップ
４  スピンドルモータ
５  サーボ回路
６  同期検出／ＡＤ変換回路
７  復調／誤り訂正回路
８  デコーダ
９  エンコーダ／ＤＡ変換回路
１０  ＯＳＤ回路
１１  マイコン
１２  ＥＥＰＲＯＭ
１３  リモコン受信部
１４  電源制御部
２０  リモコン装置
２０ａ  メニュキー
２０ｂ  カーソルキー
２０ｃ  決定キー
２０ｄ  リピートキー
２０ｅ  Ａ−Ｂリピートキー
２０ｆ  停止キー
２０ｇ  前スキップキー
２０ｆ  停止キー
３０  モニタ装置
３０ａ  画面
【図１】
2005071551.tif 000003
【図２】
2005071551.tif 000004
【図３】
2005071551.tif 000005
【図４】
2005071551.tif 000006